(57)【要約】【課題】  単純な構造であってコンパクトな釣り仕掛けを作成することができる新規な構造の釣り用オモリを提供する。【解決手段】  鋳造された釣り用オモリであって、オモリの主体部を形成する金属の溶融温度よりも高い溶融温度である金属製パイプを内包しており、該金属製パイプは湾曲しており、且つ該金属製パイプによって形成される貫通孔の一方の開口を通過する重心線とは異なる位置に、他方の開口を設けたもの。 【選択図】    図１
2017073983.tif 000002
【特許請求の範囲】
【請求項１】
鋳造された釣り用オモリであって、オモリの主体部を形成する金属の溶融温度よりも高い溶融温度である金属製パイプを内包しており、該金属製パイプは湾曲しており、且つ該金属製パイプによって形成される貫通孔の一方の開口を通過する重心線とは異なる位置に、他方の開口を設けたことを特徴とする釣り用オモリ。
【請求項２】
該金属製パイプは湾曲しているものである請求項１記載の釣り用オモリ。
【請求項３】
該金属製パイプは真鍮製である請求項１又は２記載の釣り用オモリ。
【発明の詳細な説明】
【技術分野】
【０００１】
本発明は、釣り用オモリ、更に述べれば、中通しタイプの釣り用オモリの構造に関するものである。
【背景技術】
【０００２】
釣りにとってオモリは非常に重要であるがこれは、カン付きタイプ、中通しタイプ、割ビシタイプに大別できる。このうち中通しタイプのオモリは、仕掛けの途中に配置させるのに都合が良く、様々なバリエーションのものが提案・製造されている。
【０００３】
材質としては、比重・加工の容易性・価格等々に利点を有する鉛が圧倒的に多く、これを用途に応じて加工している。
【０００４】
製造は、一般には型内に溶融鉛を流し込む鋳造で行なう。そして貫通孔は、この製造型段階で予め作られていることが多い。但し、鋳造によって形成された貫通孔は特にその開口部分にバリがつきやすく、挿通される釣り糸を傷つけてしまう可能性があるので、型抜きした後に仕上げ加工を施してやるのが好ましい。或いは、鉛よりも溶融温度の高い金属（通常は真鍮）製のパイプを予め製造型内に収めてから溶融鉛を流し込むという方法や、鉛固化後の貫通孔内にプラスチック製チューブを差し込み接着剤で固定するという方法、等々がある。
【０００５】
一方、中通しオモリは、種々の釣法に用いられているオモリであって、カン付きタイプのオモリが胴突き仕掛けやサビキ釣り仕掛けのように「仕掛けの最下端部分」に取設されることを基本としているのに対し、オモリの下にも仕掛けが存在していることが基本となっている。
【先行技術文献】
【特許文献】
【０００６】
【特許文献１】特開２００２−０８４９４９公報
【発明の概要】
【発明が解決しようとする課題】
【０００７】
オモリの中を釣り糸が通る本タイプのオモリの場合、既述の如く釣り糸の表面を傷つけてしまいやすいので、仕上げ加工を丁寧に行なうか、表面が滑らかなパイプ部材を内包させるかしなければならない。
ところが、現実にはこれらはいずれも理想的な方法とはなっていない。
【０００８】
仕上げ加工についていうと、中通しオモリの貫通孔内面を平坦に仕上げるという作業は非常に面倒であるのでどうしても大きなコストを必要とする工程となり、好ましくない。
また、パイプ部材やチューブを鉛本体内に配置するものの場合、該パイプ部材若しくはチューブが抜落してしまうことがある。そこで、抜落防止のために開口部に肉厚部分を設けることもあるが、製造コストの上昇を招くことになり、やはり好ましくない。
【課題を解決するための手段】
【０００９】
そこで本発明者は上記点に鑑み鋭意研究の結果、遂に本発明を成したものでありその特徴とするところは、鋳造された釣り用オモリであって、オモリの主体部を形成する金属の溶融温度よりも高い溶融温度である金属製パイプを内包しており、該金属製パイプは湾曲しており、且つ該金属製パイプによって形成される貫通孔の一方の開口を通過する重心線とは異なる位置に、他方の開口を設けた点にある。
【００１０】
本発明者は、中通しオモリ内の釣り糸が磨耗したり損傷することを防止する方策としては開口部付近を仕上げ加工するという方法は、実際には不十分であることが多く適当ではない、と結論し、パイプ部材やチューブを内包させる方法を改良するという方向で研究を開始し、到達したものである。即ち、鋳造によるものであって、内包させるために予め配置しておく金属製パイプを湾曲させ、且つ、釣糸の出口が重心線から離れるようにされている、というものである。湾曲しているので、内包されているパイプは、仕上げ加工を施さずとも抜落することがなくなる。
【００１１】
オモリの主体部は、鋳造に供される金属であれば特に限定はしない。通常は鉛、或いは鉛を主とする合金であることが多い。
また、金属製パイプは、オモリ主体部の金属の溶融温度よりも高い溶融温度の金属が採用される。本発明では金属の種類を特に限定するものではないが、通常は「真鍮」が用いられる。
【００１２】
本発明に係る釣り用オモリは、勿論釣りに供されるものであるが用途の詳細については何ら限定しない。
【発明の効果】
【００１３】
本発明に係る釣り用オモリは、鋳造された釣り用オモリであって、オモリの主体部を形成する金属の溶融温度よりも高い溶融温度である金属製パイプを内包しており、該金属製パイプは湾曲しており、且つ該金属製パイプによって形成される貫通孔の一方の開口を通過する重心線とは異なる位置に、他方の開口を設けたものであることを特徴とするものであり、金属製パイプを内包しているのでオモリ内に釣り糸を通しても釣り糸が磨耗したり傷ついたりする可能性が小さく、また、この金属製パイプが湾曲しているために抜け止め加工を施さずとも抜落の恐れがなく、また製造コストも大きく上がることがない、等々の効果を有する極めて高度な発明である。
【図面の簡単な説明】
【００１４】
【図１】本発明に係る釣り用オモリの一例を示す概略斜視図である。
【図２】図１で示したオモリの概略断面図である。
【図３】（ａ）（ｂ）は、本発明に係る釣り用オモリの外観についての他の例を示すいずれも概略斜視図である。
【図４】（ａ）（ｂ）は、従来の一般的なオモリを用いた釣り用仕掛けの一例と、本発明に係る釣り用オモリを用いた釣り用仕掛けとを比較するための図であって、（ａ）は従来例、（ｂ）は本発明の一例を示すいずれも概略正面図である。
【発明を実施するための形態】
【実施例１】
【００１５】
図１は、本発明に係る釣り用オモリ１（以下本発明オモリ１という）の一例を概略的に示すものであり、図より明らかなように本例の本発明オモリ１は、全体形状としては「ナス形オモリ」であるが、一般的なナス形オモリがカン付きであるのに対し、本例は中通しタイプのオモリである。
【００１６】
この中通し孔２は、その中ほどで大きく湾曲し、開口２１と開口２２の開放方向は、約９０度ずれている。即ち、開口２１から挿入された釣り糸Ｌが開口２２から出るとき、釣り糸Ｌは挿入方向と約９０度異なる方向に突出することになる。
【００１７】
図２は、図１の本発明オモリ１の断面図である。中通し孔２は、金属パイプ３によって形成されている。この金属パイプ３は、真鍮製であって本発明オモリ１の主体部を構成する鉛よりも融点が高い。そこで、鋳造段階で製造型内に金属パイプ３をセットしても、金属パイプ３が溶融することがない。
また本図より開口２２が、開口２１を通過する重心線Ｃとは異なる位置に向かって開いていることが明らかである。
【００１８】
図３（ａ）（ｂ）は、本発明オモリ１の外観についての他の例を示すものであり、同図（ａ）は小田原型或いは六角型と呼ばれる比較的大型のオモリに用いられる形状、同図（ｂ）は玉型或いは丸型とよばれる比較的小型のオモリに用いられる形状である。
【００１９】
図４（ａ）（ｂ）は、従来の一般的なオモリＷを用いた釣り用仕掛けの一例と、本発明オモリ１とを比較したものである。
【符号の説明】
【００２０】
１      本発明に係る釣り用オモリ
２      中通し孔
２１    開口
２２    開口
３      金属製パイプ
４      直線状金属製パイプ
Ｌ      釣糸
Ｃ      重心線
【図１】
2017073983.tif 000003
【図２】
2017073983.tif 000004
【図３】
2017073983.tif 000005
【図４】
2017073983.tif 000006